(57)【要約】【課題】映像信号に基づく映像が表示されない動作状態をユーザに認識させつつ、消費電力の削減及び部品の長寿命化を図ることができる映像表示装置を提供する。【解決手段】映像表示装置において、ＣＰＵ４に、映像信号が入力されているか否かを判断させる入力判断プログラム６Ｂと、映像信号が入力されていると判断した場合に、当該映像信号に視聴制限情報が付加されているか否かにより、当該映像信号に基づく映像を表示可能か否かを判断させる表示可否判断プログラム６Ｃと、当該映像信号に基づく映像を表示不可能と判断した場合に、液晶パネル部２のバックライト３の輝度を下げるとともに、表示不可能であることを示す所定の表示を液晶パネル部２に表示させる表示制御プログラム６Ｄと、を備えた。【選択図】図１
2007322522.tif 000002
【特許請求の範囲】
【請求項１】
映像信号に基づく映像を表示部に表示させる映像表示装置において、
映像信号が入力されているか否かを判断する入力判断手段と、
前記入力判断手段により、映像信号が入力されていると判断された場合に、当該映像信号に視聴制限情報が付加されているか否かにより、当該映像信号に基づく映像を表示可能か否かを判断する表示可否判断手段と、
前記入力判断手段により、映像信号が入力されていると判断された場合に、当該映像信号がスクランブル処理されているか否かを判断するスクランブル判断手段と、
前記入力判断手段により、映像信号が入力されていないと判断された場合、前記表示可否判断手段により、当該映像信号に基づく映像を表示不可能と判断された場合、及び、前記スクランブル判断手段により、当該映像信号がスクランブル処理されていると判断された場合に、前記表示部のバックライトの輝度を下げるとともに、表示不可能であることを示す所定の表示を白抜き文字で前記表示部に表示させる表示制御手段と、
を備えることを特徴とする映像表示装置。
【請求項２】
映像信号に基づく映像を表示部に表示させる映像表示装置において、
映像信号が入力されているか否かを判断する入力判断手段と、
前記入力判断手段により、映像信号が入力されていると判断された場合に、当該映像信号に視聴制限情報が付加されているか否かにより、当該映像信号に基づく映像を表示可能か否かを判断する表示可否判断手段と、
前記表示可否判断手段により、当該映像信号に基づく映像を表示不可能と判断された場合に、前記表示部のバックライトの輝度を下げるとともに、表示不可能であることを示す所定の表示を前記表示部に表示させる表示制御手段と、
を備えることを特徴とする映像表示装置。
【請求項３】
映像信号に基づく映像を表示部に表示させる映像表示装置において、
映像信号が入力されているか否かを判断する入力判断手段と、
前記入力判断手段により、映像信号が入力されていると判断された場合に、当該映像信号がスクランブル処理されているか否かを判断するスクランブル判断手段と、
前記スクランブル判断手段により、当該映像信号がスクランブル処理されていると判断された場合に、前記表示部のバックライトの輝度を下げるとともに、表示不可能であることを示す所定の表示を前記表示部に表示させる表示制御手段と、
を備えることを特徴とする映像表示装置。
【請求項４】
前記表示制御手段は、前記所定の表示を白抜き文字で前記表示部に表示させることを特徴とする請求項２又は３に記載の映像表示装置。
【発明の詳細な説明】
【技術分野】
【０００１】
本発明は、映像表示装置に関する。
【背景技術】
【０００２】
従来、液晶等の表示部を備え、入力された映像信号に基づく映像を当該表示部に表示させる映像表示装置において、カラーバー等の特定静止画像の映像信号が入力されている場合には、表示部のバックライトの輝度を下げて消費電力の削減や部品の長寿命化を図るものが知られている（例えば、特許文献１）。
また、動作していない場合には、表示部のバックライトを消灯させるものも知られている（例えば、特許文献２）。
【０００３】
ところで、映像表示装置において、映像信号が入力されていない場合や、視聴制限等により映像のみ視聴できない場合等には、通常、表示部に「Ｎｏ  Ｓｉｇｎａｌ」や、「Ｒｅｓｔｒｉｃｔｅｄ」等、当該映像表示装置の動作状態を示す表示がなされる。
【特許文献１】特開２００３−２７１１０６号公報
【特許文献２】特開平１１−０８５０９１号公報
【発明の開示】
【発明が解決しようとする課題】
【０００４】
しかしながら、特許文献１の映像表示装置では、上述のような動作状態を示す表示を行う場合においても、表示部のバックライトは通常と同様に点灯しているため、消費電力の削減や部品の長寿命化を十分に図ることができなかった。また、特許文献２の映像表示装置では、バックライトを消灯させてしまうので、当該映像表示装置の動作状態を表示することができない。
【０００５】
本発明の課題は、映像信号に基づく映像が表示されない動作状態をユーザに認識させつつ、消費電力の削減及び部品の長寿命化を図ることができる映像表示装置を提供することである。
【課題を解決するための手段】
【０００６】
請求項１に記載の発明は、映像信号に基づく映像を表示部に表示させる映像表示装置において、
映像信号が入力されているか否かを判断する入力判断手段と、
前記入力判断手段により、映像信号が入力されていると判断された場合に、当該映像信号に視聴制限情報が付加されているか否かにより、当該映像信号に基づく映像を表示可能か否かを判断する表示可否判断手段と、
前記入力判断手段により、映像信号が入力されていると判断された場合に、当該映像信号がスクランブル処理されているか否かを判断するスクランブル判断手段と、
前記入力判断手段により、映像信号が入力されていないと判断された場合、前記表示可否判断手段により、当該映像信号に基づく映像を表示不可能と判断された場合、及び、前記スクランブル判断手段により、当該映像信号がスクランブル処理されていると判断された場合に、前記表示部のバックライトの輝度を下げるとともに、表示不可能であることを示す所定の表示を白抜き文字で前記表示部に表示させる表示制御手段と、
を備えることを特徴としている。
【０００７】
請求項２に記載の発明は、映像信号に基づく映像を表示部に表示させる映像表示装置において、
映像信号が入力されているか否かを判断する入力判断手段と、
前記入力判断手段により、映像信号が入力されていると判断された場合に、当該映像信号に視聴制限情報が付加されているか否かにより、当該映像信号に基づく映像を表示可能か否かを判断する表示可否判断手段と、
前記表示可否判断手段により、当該映像信号に基づく映像を表示不可能と判断された場合に、前記表示部のバックライトの輝度を下げるとともに、表示不可能であることを示す所定の表示を前記表示部に表示させる表示制御手段と、
を備えることを特徴としている。
【０００８】
請求項３に記載の発明は、映像信号に基づく映像を表示部に表示させる映像表示装置において、
映像信号が入力されているか否かを判断する入力判断手段と、
前記入力判断手段により、映像信号が入力されていると判断された場合に、当該映像信号がスクランブル処理されているか否かを判断するスクランブル判断手段と、
前記スクランブル判断手段により、当該映像信号がスクランブル処理されていると判断された場合に、前記表示部のバックライトの輝度を下げるとともに、表示不可能であることを示す所定の表示を前記表示部に表示させる表示制御手段と、
を備えることを特徴としている。
【０００９】
請求項４に記載の発明は、請求項２又は３に記載の映像表示装置において、
前記表示制御手段は、前記所定の表示を白抜き文字で前記表示部に表示させることを特徴としている。
【発明の効果】
【００１０】
請求項１に記載の発明によれば、入力判断手段により、映像信号が入力されているか否かが判断され、表示可否判断手段により、入力判断手段が、映像信号が入力されていると判断した場合に、当該映像信号に視聴制限情報が付加されているか否かにより、当該映像信号に基づく映像を表示可能か否かを判断され、スクランブル判断手段により、入力判断手段が、映像信号が入力されていると判断した場合に、当該映像信号がスクランブル処理されているか否かが判断され、表示制御手段により、入力判断手段により、映像信号が入力されていないと判断された場合、表示可否判断手段により、当該映像信号に基づく映像を表示不可能と判断された場合、及び、スクランブル判断手段により、当該映像信号がスクランブル処理されていると判断された場合に、表示部のバックライトの輝度を下げられるので、消費電力の削減及び部品の長寿命化を図ることができるとともに、これらの場合に、表示不可能であることを示す所定の表示を表示部に表示させるので、映像信号に基づく映像が表示されない動作状態をユーザに認識させることができる。
また、表示制御手段は、所定の表示を白抜き文字で表示部に表示させるので、バックライトの輝度が下げられて表示部の画面が暗くなっても、当該所定の表示を見やすくすることができる。
【００１１】
請求項２に記載の発明によれば、入力判断手段により、映像信号が入力されているか否かが判断され、表示可否判断手段により、入力判断手段が、映像信号が入力されていると判断した場合に、当該映像信号に視聴制限情報が付加されているか否かにより、当該映像信号に基づく映像を表示可能か否かを判断され、表示制御手段により、表示可否判断手段によって当該映像信号に基づく映像を表示不可能と判断された場合に、表示部のバックライトの輝度を下げられるので、消費電力の削減及び部品の長寿命化を図ることができる。また、表示制御手段により、表示可否判断手段によって当該映像信号に基づく映像を表示不可能と判断された場合に、表示不可能であることを示す所定の表示を表示部に表示させるので、映像信号に基づく映像が表示されない動作状態をユーザに認識させることができる。
【００１２】
請求項３に記載の発明によれば、入力判断手段により、映像信号が入力されているか否かが判断され、スクランブル判断手段により、入力判断手段が、映像信号が入力されていると判断した場合に、当該映像信号がスクランブル処理されているか否かが判断され、表示制御手段により、スクランブル判断手段によって当該映像信号がスクランブル処理されていると判断された場合に、表示部のバックライトの輝度を下げられるので、消費電力の削減及び部品の長寿命化を図ることができる。また、表示制御手段により、スクランブル判断手段によって当該映像信号がスクランブル処理されていると判断された場合に、表示不可能であることを示す所定の表示を表示部に表示させるので、映像信号に基づく映像が表示されない動作状態をユーザに認識させることができる。
【００１３】
請求項４に記載の発明によれば、請求項２又は３に記載の発明と同様の効果が得られるのは勿論のこと、特に、表示制御手段は、所定の表示を白抜き文字で表示部に表示させるので、バックライトの輝度が下げられて表示部の画面が暗くなっても、当該所定の表示を見やすくすることができる。
【発明を実施するための最良の形態】
【００１４】
以下、図を参照して、本発明に係る映像表示装置を実施するための最良の形態を詳細に説明する。なお、本実施形態では、映像表示装置として、液晶表示装置１００を例示して説明するが、本発明の範囲はこれに限定されるものではない。
【００１５】
まず、本発明に係る液晶表示装置１００の構成について図１を参照しながら説明する。本実施形態に係る液晶表示装置１００は、例えば、図１に示すように、映像信号入力部１，表示部としての液晶パネル部２，バックライト３，ＣＰＵ（Central  Processing  Unit）４，ＲＡＭ（Random  Access  Memory）５，記憶部６等を備えて構成されている。
【００１６】
映像信号入力部１は、例えば、デジタルテレビ受信装置（図示省略），ＤＶＤ再生装置（図示省略）等の外部機器と接続され、当該外部機器から入力される映像信号をＣＰＵ４に出力する。
【００１７】
液晶パネル部２は、例えば、液晶ディスプレイであり、映像信号入力部１から入力された映像信号に基づく映像を表示する。この液晶パネル部２は、例えば、液晶を二枚の対向する透明絶縁性基材（例えば、ガラス板；図示省略）の間に狭持し、その透明絶縁性基材に取り付けられた電極（図示省略）に電圧を印加して、液晶により偏光された光を偏光板（図示省略）に通すことによって光の透過・不透過を制御する液晶パネル（図示省略）と、液晶パネルと略同形であって、液晶パネルよりもやや広い面積を有し、液晶パネルの前面に備えられるフロントパネル（図示省略）等により構成されている。
そして、液晶パネルの後面側に配設されているバックライト３が、液晶や偏光板を介してフロントパネル側に向け光を照射するとともに、液晶パネルが映像信号に基づき光の透過・不透過を切り替えることによって、映像信号に基づく映像が液晶パネル部２に表示されるようになっている。
【００１８】
バックライト３は、例えば、複数の蛍光管（図示省略）等を備え、液晶パネル部２（液晶パネル）の後面側に配設されている。
【００１９】
ＣＰＵ４は、例えば、記憶部６に格納された処理プログラム等を読み出して、ＲＡＭ５に展開して実行することにより、液晶表示装置１００全体の制御を行う。
【００２０】
ＲＡＭ５は、ＣＰＵ４により実行された処理プログラム等を、ＲＡＭ５内のプログラム格納領域に展開するとともに、入力データや上記処理プログラムが実行される際に生じる処理結果等をデータ格納領域に格納する。
【００２１】
記憶部６は、例えば、プログラムやデータ等が予め記憶されている記録媒体（図示せず）を有しており、この記録媒体は、例えば、半導体メモリ等で構成されている。また、記憶部６は、ＣＰＵ４が液晶表示装置１００全体を制御する機能を実現させるための各種データ，各種処理プログラム，これらプログラムの実行により処理されたデータ等を記憶する。より具体的には、記憶部６は、例えば、図１に示すように、状態表示データファイル６Ａ，入力判断プログラム６Ｂ，表示可否判断プログラム６Ｃ，表示制御プログラム６Ｄ等を格納している。
【００２２】
状態表示データファイル６Ａは、例えば、映像信号が入力されていない場合，視聴制限情報が不可されている場合に、液晶パネル部２に映像を表示できないことを示す所定の表示のデータを記憶している。当該所定の表示は、ＣＰＵ４が表示制御プログラム６Ｄを実行することにより、液晶パネル部２に表示される。所定の表示には、例えば、映像信号が入力されていない状態を示す「Ｎｏ  Ｓｉｇｎａｌ」，視聴制限等により映像を表示できない状態を示す「Ｒｅｓｔｒｉｃｔｅｄ」等がある。
【００２３】
入力判断プログラム６Ｂは、例えば、ＣＰＵ４に、映像信号入力部１から映像信号が入力されているか否かを判断する機能を実現させるプログラムである。より具体的には、入力判断プログラム６Ｂは、例えば、ＣＰＵ４に、映像信号入力部１の入力端子を介して入力される信号のレベル等を検出することにより、当該映像信号入力部１から映像信号が入力されているか否かを判断する機能を実現させるプログラムである。ＣＰＵ４は、かかる入力判断プログラム６Ｂを実行することにより、入力判断手段として機能する。
【００２４】
表示可否判断プログラム６Ｃは、例えば、ＣＰＵ４に、入力判断プログラム６Ｂを実行することにより、映像信号入力部１から映像信号が入力されていると判断した場合に、当該映像信号に視聴制限情報が付加されているか否かにより、当該映像信号に基づく映像を表示可能か否かを判断する機能を実現させるプログラムである。また、表示可否判断プログラム６Ｃは、例えば、ＣＰＵ４に、入力判断プログラム６Ｂを実行することにより、映像信号入力部１から映像信号が入力されていると判断した場合に、当該映像信号がスクランブル処理されているか否かを判断する機能を実現させるプログラムである。ＣＰＵ４は、かかる表示可否判断プログラム６Ｃを実行することにより、表示可否判断手段，スクランブル判断手段として機能する。
【００２５】
表示制御プログラム６Ｄは、例えば、ＣＰＵ４に、入力判断プログラム６Ｂを実行することにより、映像信号入力部１から映像信号が入力されていないと判断した場合、表示可否判断プログラム６Ｃを実行することにより、映像信号に視聴制限情報が付加されていると判断した場合、映像信号がスクランブル処理されていると判断した場合に、バックライト３の輝度を下げるとともに、表示不可能であることを示す所定の表示を、例えば、白抜き文字で表示させる機能を実現させるプログラムである。具体的には、例えば、ＣＰＵ４は表示制御プログラム６Ｄを実行することにより、状態表示データファイル６Ａから当該所定の表示のデータを抽出して、当該所定の表示のデータに基づく所定の表示を液晶パネル部２に表示させる。ＣＰＵ４は、かかる表示制御プログラム６Ｄを実行することにより、表示制御手段として機能する。
【００２６】
次に、上述のような構成の本発明に係る液晶表示装置１００の映像表示動作について図２に示すフローチャートを参照しながら説明する。
まず、ＣＰＵ４は、入力判断プログラム６Ｂを実行することにより、映像信号入力部１から映像信号が入力されているか否かを判断する（ステップＳ１）。
【００２７】
ステップＳ１において、ＣＰＵ４が、映像信号が入力されていないと判断した場合には（ステップＳ１；Ｎｏ）、ステップＳ３へ進む。
ステップＳ１において、ＣＰＵ４が、映像信号が入力されていると判断した場合には（ステップＳ１；Ｙｅｓ）、ＣＰＵ４は、表示可否判断プログラム６Ｃを実行することにより、入力された映像信号に視聴制限情報が付加されているか否か、入力された映像信号がスクランブル処理されているか否か、等を判断することにより、当該映像信号に基づく映像を液晶パネル部２に表示可能か否かを判断する（ステップＳ２）。
【００２８】
ステップＳ２において、ＣＰＵ４が、当該映像信号に基づく映像を表示不可能と判断した場合には（ステップＳ２；Ｎｏ）、ＣＰＵ４は、表示制御プログラム６Ｄを実行することにより、バックライト３の輝度を落として、液晶表示装置１００の動作状態を表示する所定の表示を液晶パネル部２に表示させる（ステップＳ３）。
ステップＳ２において、ＣＰＵ４が、当該映像信号に基づく映像を表示可能と判断した場合には（ステップＳ２；Ｙｅｓ）、ＣＰＵ４は、バックライト３の輝度を落とさずに、当該映像信号に基づく映像を液晶パネル部２に表示させる（ステップＳ４）。
【００２９】
次に、ステップＳ３における液晶パネル部２による表示の一例を図３、図４を参照しながら説明する。図３（ａ）及び図４（ｂ）には、従来の液晶表示装置における動作表示の画面を示す。従来、液晶表示装置の動作表示を行う際には、例えば、図３（ａ）,図４（ａ）に示すように、バックライトの輝度は通常と同じとされ、液晶パネル部の画面全体は明るくなっており、動作状態を表示する所定の表示、例えば、「Ｎｏ  Ｓｉｇｎａｌ」が黒文字により表示されている。
一方、本発明に係る液晶表示装置１００では、動作表示を行う際、たとえば、図３（ｂ）に示すように、バックライト３の輝度が落とされ、液晶パネル部２の画面全体が通常よりも暗くなっており、液晶表示装置１００の動作状態を表示する所定の表示、例えば、「Ｎｏ  Ｓｉｇｎａｌ」が黒文字により表示されている。
また、本発明に係る液晶表示装置１００では、動作表示を行う際、たとえば、図４（ｂ）に示すように、バックライト３の輝度が完全に落とされており、液晶パネル部２の画面全体が真っ暗になっており、液晶表示装置１００の動作状態を表示する所定の表示、例えば、「Ｎｏ  Ｓｉｇｎａｌ」が、白抜き文字により表されており、自然光の反射により、当該所定の表示が視認可能となっている。
【００３０】
以上に説明した本発明に係る液晶表示装置１００によれば、ＣＰＵ４が入力判断プログラム６Ｂを実行することにより、映像信号が入力されているか否かが判断され、ＣＰＵ４が表示可否判断プログラム６Ｃを実行することにより、ＣＰＵ４が入力判断プログラム６Ｂを実行して映像信号が入力されていると判断した場合に、当該映像信号に視聴制限情報が付加されているか否かにより、当該映像信号に基づく映像を表示可能か否かを判断され、当該映像信号がスクランブル処理されているか否かが判断され、ＣＰＵ４が表示制御プログラム６Ｄを実行することにより、映像信号が入力されていないと判断した場合、当該映像信号に視聴制限情報が付加されていると判断した場合、及び、当該映像信号がスクランブル処理されていると判断した場合に、液晶パネル部２のバックライト３の輝度が下げられるので、消費電力の削減及び部品の長寿命化を図ることができる。また、ＣＰＵ４が表示制御プログラム６Ｄを実行することにより、映像信号が入力されていないと判断した場合、当該映像信号に視聴制限情報が付加されていると判断した場合、及び、当該映像信号がスクランブル処理されていると判断した場合に、表示不可能であることを示す所定の表示を液晶パネル部２に表示させるので、映像信号に基づく映像が表示されない動作状態をユーザに認識させることができる。
また、所定の表示は、白抜き文字で液晶パネル部２に表示されるので、バックライト３の輝度が下げられて液晶パネル部２の画面が暗くなっても、当該所定の表示を見やすくすることができる。
【００３１】
なお、本発明に係る映像表示装置は、液晶表示装置１００に限られるものではなく、バックライト３を使用して映像信号に基づく映像を表示するものであれば何であってもよい。
また、本発明に係る映像表示装置がバックライト３の輝度を下げ、動作状態の表示を行う場合は、本実施形態に限られるものではなく、映像信号が入力されていても映像信号を出力できない場合であればなんであってもよい。例えば、映像信号をスキャン中である場合であってもよい。
【図面の簡単な説明】
【００３２】
【図１】本発明に係る映像表示装置の概略構成を示すブロック図である。
【図２】本発明に係る映像表示装置における映像表示動作を説明するためのフローチャートである。
【図３】本発明に係る映像表示装置の液晶パネル部に表示される表示を説明するための図である。
【図４】本発明に係る映像表示装置の液晶パネル部に表示される表示を説明するための図である。
【符号の説明】
【００３３】
２  液晶パネル部（表示部）
３  バックライト
４  ＣＰＵ（入力判断手段,表示可否判断手段,スクランブル判断手段,表示制御手段）
６Ｂ  入力判断プログラム（入力判断手段）
６Ｃ  表示可否判断プログラム（表示可否判断手段,スクランブル判断手段）
６Ｄ  表示制御プログラム（表示制御手段）
１００  液晶表示装置（映像表示装置）
【図１】
2007322522.tif 000003
【図２】
2007322522.tif 000004
【図３】
2007322522.tif 000005
【図４】
2007322522.tif 000006